(57)【要約】【課題】各部品に寸法のバラツキがあっても、被記録媒体をせん断時の上下丸刃の互いの接点の高さ位置のばらつきを抑制することができる切断制御装置、切断制御方法及びプログラムを提供することを目的とする。【解決手段】  被記録媒体をカットするカット部を有するカッターユニットと、前記カッターユニットを被記録媒体の搬送方向とは交差する方向に移動させる移動手段と、前記カッターユニットが移動する方向と平行に設けられて前記カッターユニットを軸支する支軸を有し、当該支軸を中心として前記カッターユニットを回動させる回動手段とを有し、前記カッターユニットのカット部が前記被記録媒体を切断する場合、前記カット部の被記録媒体との接点と支軸の中心とを結ぶ線は、前記搬送方向に対して略直交することを特徴とする。【選択図】図６
2015226937.tif 000002
【特許請求の範囲】
【請求項１】
被記録媒体をカットするカット部を有するカッターユニットと、
前記カッターユニットを被記録媒体の搬送方向とは交差する方向に移動させる移動手段と、
前記カッターユニットが移動する方向と平行に設けられて前記カッターユニットを軸支する支軸を有し、当該支軸を中心として前記カッターユニットを回動させる回動手段と、
を有し、
前記カッターユニットのカット部が前記被記録媒体を切断する場合、前記カット部の被記録媒体との接点と支軸の中心とを結ぶ線は、前記搬送方向に対して略直交することを特徴とする切断装置。
【請求項２】
前記カッターユニットは、前記被記録媒体をせん断する上下丸刃を有し、
前記カッターユニットが前記被記録媒体をせん断する場合、前記上下丸刃の互いの接点と前記支軸の中心とを結ぶ線は、前記搬送方向に対して略直交することを特徴とする請求項１に記載の切断装置。
【請求項３】
前記回動手段は、被記録媒体の幅方向の外側において前記カッターユニットを回動させることを特徴とする請求項１又は２に記載の切断装置。
【請求項４】
前記カッターユニットは、前記回動手段による回動動作によって、前記被記録媒体を切断するときの位置に位置決めされる係止形状を有することを特徴とする請求項１から３のいずれか１項に記載の切断装置。
【請求項５】
前記移動手段は、被記録媒体の搬送方向と交差する方向に延在するガイド部材を具備し、
前記ガイド部材は、前記支軸を中心に回動自在であることを特徴とする請求項１又は２に記載の切断装置。
【請求項６】
前記ガイド部材は、前記回動手段による回動動作によって、前記被記録媒体を切断するときの位置に位置決めされる係止形状を有することを特徴とする請求項５に記載の切断装置。
【請求項７】
前記カッターユニットは、前記被記録媒体を切断しない場合、前記切断装置内部に倒れ込むことを特徴とする請求項１から６のいずれか１項に記載の切断装置。
【請求項８】
前記回動手段は、前記カッターユニットにより前記被記録媒体を切断する場合、前記カッターユニットを前記カット部が前記搬送方向に対して交差した状態とし、前記被記録媒体を切断しない場合、前記カッターユニットを被記録媒体に接触しない状態とすることを特徴とする請求項１から７のいずれか１項に記載の切断装置。
【請求項９】
前記回動手段は、前記カッターユニットを前記移動手段により第１方向に移動させる場合、前記カッターユニットを前記カット部が前記搬送方向に対して交差した状態とし、前記カッターユニットを前記移動手段により第２方向に移動させる場合、前記カッターユニットを被記録媒体に接触しない状態とすることを特徴とする請求項１から７のいずれか１項に記載の切断装置。
【請求項１０】
被記録媒体を搬送する搬送手段をさらに備えることを特徴とする請求項１から９のいずれか１項に記載の切断装置。
【請求項１１】
被記録媒体に画像を記録する記録手段をさらに備えることを特徴とする請求項１から１０のいずれか１項に記載の切断装置。
【請求項１２】
被記録媒体をカットするカット部を有するカッターユニットと、前記カッターユニットを被記録媒体の搬送方向とは交差する方向に移動させる移動手段とを有する切断装置の切断制御方法であって、
前記切断装置は、前記カッターユニットが移動する方向と平行に設けられて前記カッターユニットを軸支する支軸を有し、当該支軸を中心として前記カッターユニットを回動させる回動手段を有し、
前記カッターユニットのカット部が前記被記録媒体を切断する場合、前記カット部の被記録媒体との接点と支軸の中心とを結ぶ線は、前記搬送方向に対して略直交し、
前記カッターユニットにより前記被記録媒体を切断する場合、前記カッターユニットを前記カット部が前記搬送方向に対して交差した状態とし、前記被記録媒体を切断しない場合、前記カッターユニットを被記録媒体に接触しない状態とするように前記回動手段を制御することを特徴とする切断制御方法。
【請求項１３】
請求項１２に記載の切断制御方法をコンピュータにより実行することを特徴とするプログラム。
【発明の詳細な説明】
【技術分野】
【０００１】
本発明は、画像記録装置等において被記録媒体をカットした後に退避するカッターユニットを制御する切断装置、切断制御方法及びプログラムに関する。
【背景技術】
【０００２】
プリンタ、複写機、ファクシミリ等の画像記録装置は、給紙部から被記録媒体が供給され、画像データに基づいて記録ヘッドにより被記録媒体に画像を記録する。被記録媒体としては、たとえば、ロール状に巻かれた連続紙、単票紙、プラスチックシートなどが使用される。大きなサイズの被記録媒体を扱う画像記録装置では、連続紙が用いられ、記録の行われた連続紙は所定位置でカットユニットによりカットされる。
【０００３】
カッターユニットは、たとえば、外周を鋭角に研磨した円盤状の丸刃と、丸刃を支持するホルダーとを有する。具体的には、丸刃は上下に１枚ずつ配置され、上下共に回動自在に軸支され、丸刃を上下方向で僅かにオーバーラップさせた状態で紙の厚み方向に圧接する。このカッターユニットは、被記録媒体の送り方向と直交する方向に往復自在であり、移動の過程において被記録媒体を上下丸刃の互いの接点に導き、被記録媒体は上下丸刃の協働により、せん断カットされる。
【０００４】
ここで、ホルダーは、往路進行方向前方では上下丸刃へ導くように開口されている。また、後方では上下丸刃を支持しているホルダーが連結する形状を成し、上下丸刃への道筋は閉じている。つまり、カッターユニットは、往路においては連続紙をカット可能であるが、復路においては被記録媒体をカット不能である。このため、カッターユニットは、被記録媒体をカットする度に、次のカットに備えて、元来た通路を戻り、ホルダー開口側に被記録媒体が位置するようにしなければならない。
【０００５】
上述したように、被記録媒体のカット後、カッターユニットのホームポジションへの戻り動作は、次のカットに備えて必要不可欠な動作であるが、往路／復路が同一経路である場合、被記録媒体端部とカッターユニットとの接触により紙端部に傷が付く虞がある。仮に、接触を回避するために被記録媒体先端を搬送方向逆側にバックフィードしてしまうと、次のフォワードフィード時、駆動系バックラッシ分の搬送誤差が生じる。また、このときに、被記録媒体端部とカッターユニットとが接触する虞があるので、カッターユニットがホームポジションに戻るまで、印刷を再開できないという問題も生じる。
【０００６】
そこで、このような問題に対して、往路で連続紙をカット後、復路においてカッターユニットは搬送面よりも下方に退避し、搬送面上の連続紙に干渉しない状態にするカット装置が知られている（たとえば、特許文献１参照）。
【先行技術文献】
【特許文献】
【０００７】
【特許文献１】特開２０１２−１１５９５２号公報
【発明の概要】
【発明が解決しようとする課題】
【０００８】
しかしながら、特許文献１では、上下丸刃の互いの接点の高さ位置が正しく制御できない。なお、上下丸刃の互いの接点の高さと、カットされる被記録媒体の高さ位置とがずれると、カット不良の原因となる。被記録媒体の切り込み箇所が滑らかに上下丸刃の互いの接点に導かれ難くなり、また、強引に切り込みが開始された場合、高さ位置ズレによって発生している被記録媒体の厚み方向ヨレが解消されないまま、カットされるからである。
【０００９】
図９は、特許文献１に記載の従来のインクジェット記録装置１００Ｐを示す正面図である。
【００１０】
上丸刃３０と下丸刃３１とは、上下方向で僅かにオーバーラップし、回転自在にホルダー４０に軸支されている。このように構成されているカッターユニット６１は、往路方向（第１方向）６２ａに移動しながら連続紙６０をカットする。カットされる連続紙６０は、ホルダー４０の開口部４３に設けられた傾斜面４１と傾斜面４２に導かれ、上丸刃３０と下丸刃３１との接点３２ａにおいて、せん断カットされる。カッターユニット６１は往路の終点であるバックポジションまで移動すると、図９（Ｂ）に示すように、連続紙６０の搬送方向に平行な軸線である、回動支点４５を中心に回転角６３ｂ分だけ回動する。この回動によって、カッターユニット６１は、連続紙６０の下方に一時的に退避することができる。この姿勢のまま、カッターユニット６１は、復路方向（第２方向）６２ｂに移動し、「ホームポジション」まで戻ることによって、次のカット動作に備える。
【００１１】
ところで、図９（Ａ）に示す姿勢に戻るために、カッターユニット６１は、回動支点４５を中心に、回転角６３ａ分だけ回動する必要がある。しかし、カッターユニット６１の回動を外部で係止する係止形状８１の係合面８２の位置と、それに係合するカッターユニット６１自身が持つ係止形状４６の係合面４７位置とは、それぞれ寸法バラツキが存在する。この寸法バラツキは、可動部に必要なガタの存在や、可動に伴う部品点数の増加が要因であり、係止形状位置と接点３２ａの回動支点４５との距離の比により多少増減する。この寸法バラツキが、接点３２ａの高さ位置の誤差とほぼ一致する。すなわち、特許文献１では、各部品における寸法のバラツキによって、上下丸刃の互いの接点の位置を正しく制御することができなかった。
【００１２】
本発明は、各部品に寸法のバラツキがあっても、被記録媒体をせん断時の上下丸刃の互いの接点の高さ位置のばらつきを抑制することができる切断制御装置、及び切断制御方法及びプログラムを提供することを目的とする。
【課題を解決するための手段】
【００１３】
本発明に係る切断装置は、被記録媒体をカットするカット部を有するカッターユニットと、前記カッターユニットを被記録媒体の搬送方向とは交差する方向に移動させる移動手段と、前記カッターユニットが移動する方向と平行に設けられて前記カッターユニットを軸支する支軸を有し、当該支軸を中心として前記カッターユニットを回動させる回動手段とを有し、前記カッターユニットのカット部が前記被記録媒体を切断する場合、前記カット部の被記録媒体との接点と支軸の中心とを結ぶ線は、前記搬送方向に対して略直交することを特徴とする。
【発明の効果】
【００１４】
本発明によれば、各部品に寸法のバラツキがあっても、被記録媒体をせん断時の上下丸刃の互いの接点の高さ位置のばらつきを抑制することできるという効果を奏する。
【図面の簡単な説明】
【００１５】
【図１】本発明に係るインクジェット記録装置の一実施形態を示す断面図である。
【図２】実施形態１に係る切断装置の模式的正面図である。
【図３】実施形態１に係る切断装置の模式的正面図である。
【図４】実施形態１に係る回動手段、移動手段の斜視図である。
【図５】実施形態１に係る回動手段、移動手段の斜視図である。
【図６】実施形態１に係る切断装置の模式的側面断面図である。
【図７】実施形態１に係る回動概念図である。
【図８】実施形態１に係る切断装置の模式的側面断面図である。
【図９】従来例の切断装置の模式的正面図である。
【発明を実施するための形態】
【００１６】
以下、図面を参照して本発明の実施形態を具体的に説明する。なお、各図面を通して同一符号は同一または対応部分を示すものである。
【００１７】
（実施形態１）
図１は、本発明の実施形態１に係るインクジェット記録装置１００を、側面方向から見た模式的断面図である。本実施形態では、切断制御装置の一例としてインクジェット記録装置を例に挙げて説明するが、これに限定されるものではない。たとえば、記録装置は、記録剤としてインクを用いたインクジェット記録装置ではなく、サーマルプリンタ、ドットインパクトプリンタ、ＬＥＤプリンタ、レーザープリンタなどの電子写真方式など他の印刷方式により記録を行うものでもよい。なお、上記サーマルプリンタは、昇華型、熱転写型などである。また、切断制御装置は、記録装置とは別に設けられるものであってもよい。また、本実施形態では、被記録媒体として連続紙を例に挙げて説明するが、被記録媒体はこれに限定されず、後述するカッターユニットによりカットできるものであればよい。
【００１８】
インクジェット記録装置１００は、被記録媒体に画像を記録する画像記録部と、被記録媒体をガイドする上ガイド６及び下ガイド７と、被記録媒体を搬送する搬送ローラ８及びピンチローラ９とを有する。また、インクジェット記録装置１００は、被記録媒体を切断するカッターユニット６１と、被記録媒体を排紙する排紙ガイド１１とを有する。
【００１９】
インクジェット記録装置１００に保持された連続紙６０は、上ガイド６及び下ガイド７から形成される搬送路を通り、搬送方向下流側へ送られる。連続紙６０の先端が搬送ローラ８とピンチローラ９とのニップ部まで到達すると、連続紙６０は、搬送ローラ８とピンチローラ９とで挟持され、記録ヘッド２に対向配置されたプラテン１０上へ搬送される。画像記録部に搬送された連続紙６０は、記録ヘッド２によってインクが吐出され、画像が記録される。
【００２０】
画像記録部は、記録ヘッド２と、記録ヘッド２を搭載するキャリッジ３と、記録ヘッド２に対向配置されたプラテン１０とを有する。キャリッジ３は、互いに平行に配置されているキャリッジシャフト４と不図示のガイドレールとに沿って摺動可能にインクジェット記録装置１００に支持されている。画像記録部において、キャリッジ３の往動作、復動作、または往復動作による１ライン分のスキャンによって画像を記録すると、連続紙６０を搬送ローラ８とピンチローラ９とによって搬送方向に所定ピッチだけ送る。そして、キャリッジ３を再び移動させて、次のラインの画像記録を行う。
【００２１】
連続紙６０の記録済み部分は、排紙ガイド１１へ向けて搬送される。
【００２２】
これを繰り返してページ全体に画像が記録される。画像記録が終了すると、連続紙６０は、所定の切断位置まで搬送され、カッターユニット６１によって切断される。切断された連続紙６０は、排紙ガイド１１からインクジェット記録装置１００の外側へ排出される。
【００２３】
また、図示しないが、インクジェット記録装置１００は、インクジェット記録装置１００のカッターユニット６１を含むインクジェット記録装置１００の全体を制御する制御ユニットを有する。制御ユニットは、ＣＰＵ、ＲＯＭ、ＲＡＭ、ＨＤＤ等を有し、それぞれがシステムバスを介して接続される。ＣＰＵは、マイクロプロセッサ（マイクロコンピュータ）形態の中央演算処理部である。ＣＰＵは、プログラムの実行やハードウェアの起動によりインクジェット記録装置１００（及びインクジェット記録装置１００のカッターユニット）全体の動作を制御する。ＲＯＭは、ＣＰＵが実行するためのプログラムやインクジェット記録装置１００の切断動作を含む各種動作に必要な固定データを格納する。ＲＡＭは、ＣＰＵのワークエリアとして用いられたり、種々の受信データの一時格納領域として用いられたり、各種設定データを記憶させたり、印刷ジョブのリストや作業用データを格納させる。ＨＤＤは、印刷ジョブに基づき展開されたイメージデータ等を一時的に格納する。また、ＨＤＤは、ＣＰＵが実行するためのプログラム、印刷データ、インクジェット記録装置１００の各種動作に必要な設定情報を、内蔵するハードディスクに記憶させたり、読み出したりすることが可能である。なお、ＨＤＤに代えて、他の大容量記憶装置としてもよい。
【００２４】
次に、カッターユニット６１の基本的機能について簡単に説明する。
【００２５】
図２と図３とは、カッターユニット６１を搬送方向下流側から上流側を見た模式的正面図である。
【００２６】
図２（Ａ）に示すように、カッターユニット６１は、上丸刃３０と、下丸刃３１と、上丸刃３０と下丸刃３１を保持するホルダー４０を有する。上丸刃３０と下丸刃３１は、上下方向で僅かにオーバーラップし、刃厚方向に圧接された状態で、各々回転自在にホルダー４０に軸支されている。このカッターユニット６１は、連続紙６０の搬送方向と交差する方向（たとえば、直交する方向）に延在するガイド部材７０に保持され、ガイド部材７０の延在方向に移動自在である。すなわち、ガイド部材７０は、カッターユニット６１を連続紙６０の搬送方向と交差する方向に案内する。図２（Ａ）に示すように、搬送方向と交差する方向において、連続紙６０の搬送幅よりも外側のカッターユニット６１の待機位置を「ホームポジション」と称する。カッターユニット６１は、連続紙６０を切断する前までこのホームポジションで待機し、連続紙６０を切断した後に再びこのホームポジションに戻る。
【００２７】
また、下丸刃３１には、同軸上に不図示の摩擦ローラが連結され、この摩擦ローラは、ガイド部材７０を圧接している。カッターユニット６１の移動に伴い、摩擦ローラが、ガイド部材７０に対して相対的に回転すると、連結する下丸刃３１も回転する。ここで、摩擦ローラの圧接面は、ガイド部材７０の内壁天面であり、カッターユニット６１が往路方向６２ａに移動すると、摩擦ローラは時計回りに回転し、同軸上の下丸刃３１も時計回りに回転する。
【００２８】
また、上丸刃３０は下丸刃３１に圧接しているので、結果的に上丸刃３０も従動回転し、その回転方向は反時計回りである。ここで、連続紙６０は、断続送りを繰り返しながら、連続紙６０を案内する搬送ガイド８０の上面を図中手前方向に移動し、やがて記録が終わると、指定のカット位置まで搬送される。なお、連続紙６０の高さ位置は、搬送ガイド８０の位置で決定される一方、複数の部品を介在しつつ、接点（交差部）３２ａの高さ位置も影響する。
【００２９】
なお、接点３２ａは、上丸刃３０と下丸刃３１とが互いに接触している部位を指し、実際には、点ではなくある程度の小面積の部位である。この接点３２ａは、被記録媒体と接触する接点ともなる。
【００３０】
その上で、後述する図５に示す移動モータ７１等の移動手段によって、カッターユニット６１が往路方向６２ａに移動すると、前述のごとく上丸刃３０と下丸刃３１は、それぞれ反時計回りと時計回りに回転し、連続紙６０を噛み込み易くなっている。連続紙６０は、カッターユニット６１の往路方向６２ａ移動に伴い、ホルダー４０の開口部４３に設けられた傾斜面４１と傾斜面４２とに導かれ、上丸刃３０と下丸刃３１との協働によってせん断切断される。
【００３１】
次に、図２（Ｂ）に示すように、カッターユニット６１は、連続紙６０の全幅を横断し、所定の位置で停止する。図２（Ｂ）に示すように、連続紙６０の全幅を横断した後、搬送方向と交差する方向において連続紙６０の搬送幅よりも外側のカッターユニット６１の停止位置を、「バックポジション」と称する。この位置のままでは、カッターユニット６１は連続紙６０をカット出来ないので、次のカットに備えて、図２（Ａ）に示すホームポジションまで戻る。
【００３２】
図３は、本実施形態に係るカッターユニット６１の模式的正面図である。図３を用いて、カッターユニット６１がバックポジションからホームポジションまで戻る際の動作について説明する。
【００３３】
本実施形態では、カッターユニット６１は、バックポジションで停止した後、図３（Ａ）に点線で示すように、図４に示す回動モータ７６等の回動手段によって搬送ガイド８０の下方に退避し、連続紙６０には干渉しない姿勢となる。この姿勢のまま、カッターユニット６１は、復路方向６２ｂに移動し、ホームポジションに向かう。最後に、図３（Ｂ）に点線で示すカッターユニット６１は、搬送ガイド８０の下方を通り、ホームポジションまで移動し、移動を完了する。この後に、カッターユニット６１は、回動することによって、搬送ガイド８０の下方から上方に復帰し、図２（Ａ）に示す姿勢に戻り、次のカットに備える。
【００３４】
本実施形態では、図３（Ａ）に示す状態から、図３（Ｂ）に示す状態に移行する間、カッターユニット６１は、連続紙６０と干渉しないので、カッターユニット６１の移動と並行して、印刷動作を継続することが可能である。
【００３５】
次に、図４〜図７を用いて、上記回動手段、移動手段について説明する。
【００３６】
図４は、カッターユニット６１が搬送面の下方を通りバックポジションからホームポジションに戻った直後における状態を示す斜視図である。
【００３７】
まず、図４に示すように、カッターユニット６１を回動する回動モータ７６は、先端にウォームギア７７が設けられている。このウォームギア７７は、ガイド部材７０に設けられた回動ギア７８と係合している。回動ギア７８は、後述するカッターユニット６１の回動支軸の中心を通る回動軸線７９上に設けられている。回動モータ７６を駆動源とするウォームギア７７の正逆回転に伴い、ガイド部材７０は回動軸線７９を中心として、図４の右から見た場合の反時計方向６８ａと時計方向６８ｂとに回動自在である。すなわち、ガイド部材７０に設けられているカッターユニット６１も回動軸線７９を中心として、反時計方向６８ａと時計方向６８ｂとに回動自在である。
【００３８】
図５は、ホームポジションにおいて、次のカットに備えて準備完了しているカッターユニット６１の様子を示す斜視図である。
【００３９】
図５に示すように、カッターユニット６１がホームポジションに戻った直後に、搬送ガイド８０の下方に位置する姿勢であったカッターユニット６１は、図５の右から見た場合の反時計方向６８ａへの回動によって、カットに備えた姿勢に移行することができる。ここでは図示しないが、バックポジションに移動したカッターユニット６１は、ガイド部材７０の図４の右から見た場合の時計方向６８ｂの回動によって、連続紙６０の下方に退避した姿勢に移行する、すなわち、搬送ガイド８０の下方に移動する。すなわち、カッターユニット６１は、回動ギア７８により時計方向６８ａと反時計方向６８ｂに回動自在である。
【００４０】
移動モータ７１は、カッターユニット６１の移動手段であり、図５に示すように、移動モータ７１は、ガイド部材７０に設置され、移動モータ７１の先端部には、プーリーギア７２が設けられている。プーリーギア７２には、ベルト７３が掛けられ、このベルト７３は、バックポジション側に設けられている類似のプーリーギアで折り返し、ベルト連結部７４、７５において、カッターユニット６１と結合している。この結果として、ベルト７３は、カッターユニット６１を介し、プーリーギア７２と、バックポジション側に設けられている類似のプーリーギアとの間で周回する。
【００４１】
これにより、移動モータ７１を駆動源とするプーリーギア７２の正逆回転に伴い、カッターユニット６１は、往路方向６２ａと復路方向６２ｂとに移動自在である。そして、カッターユニット６１は、往路方向６２ａへ移動すると、連続紙６０をカットすることができる。本実施形態では、回動手段及び移動手段をホームポジション側に配置したが、これに限定されず、バックポジション側に配置してもよい。
【００４２】
次に、本発明に係るカッターユニット６１の回動動作を詳細に説明する。
【００４３】
図６は、カッターユニット６１をバックポジション側からホームポジション側に見た模式的側面断面図である。
【００４４】
図６（Ａ）は、カッターユニット６１は、連続紙６０の全幅カットを終了し、バックポジションに停止した状態を示す。カッターユニット６１は、底部にガイドローラ６５を配置し、ガイド部材７０を滑らかに移動することができる。
【００４５】
また、ガイドローラ６５は、不図示のバネによって下方に付勢され、相対的にカッターユニット６１は、上方に付勢されている。また、カッターユニット６１には、下丸刃３１と同軸上に摩擦ローラ６４が設けられ、この摩擦ローラ６４は、前記相対的付勢によって、ガイド部材７０の内壁天面に圧接している。これによって、カッターユニット６１の移動に伴い、ガイド部材７０に対し摩擦ローラ６４が従動回転することで、連結する下丸刃３１も回転する。また、カッターユニット６１とガイド部材７０との隙間を適正化するために、ホルダー４０には、平滑度が高いホルダーガイド形状４８、４９が設けられ、僅かな隙間を保証する。また、ホルダーガイド形状４８、４９がカッターユニット６１を適切に垂直に止めるストッパー機能を発揮し、ガイド部材７０に対するカッターユニット６１の余剰ガタを規制している。
【００４６】
ところで、カッターユニット６１が連続紙６０をカットしている間、ホルダー４０に設けた係止形状５０の係合面５１と、外部に設けた係止形状８３の係合面８４との係合によって、カッターユニット６１は略垂直状態を維持できるように位置決めされている。また、係止形状８３の係合面８４は、ここでは、インクジェット記録装置１００の本体のカバーの壁面である。
【００４７】
また、カッターユニット６１とガイド部材７０とは、回動支軸４４を中心に回動自在である。この回動支軸４４の軸中心は、上丸刃３０と下丸刃３１との接点３２ａを通る垂直線６７上に位置する。言い換えれば、カット部の被記録媒体との接点となる接点３２ａと回動支軸４４の軸中心とを結ぶ線は、被記録媒体の搬送方向に対して略直交する。
【００４８】
また、回動支軸４４は、カッターユニット６１の移動方向と平行である。言い換えれば、回動軸線７９は、連続紙６０の搬送方向とは直交する方向に平行である。
【００４９】
本実施形態では、少なくともカッターユニット６１の刃により連続紙６０を切断する際（本実施形態では、カッターが往方向に移動中）は、カッターユニット６１を略垂直状態とする。そして、カッターユニット６１の刃により連続紙６０を切断しないがカッターユニット６１を移動させる際（本実施形態では、復方向に移動中）は、回動支軸４４を中心にホルダー４０を９０度回動させる。これにより、カッターユニット６１を略水平状態として、連続紙６０よりも下方へ退避させる。
【００５０】
本実施形態では、上述した構成とすることにより、部品の寸法バラツキによってカッターユニット６１の回動の角度が多少変わっても、接点３２ａの高さ位置のずれを少なくすることができる。
【００５１】
本実施形態では、カッターユニット６１は、カッターユニット６１の移動方向と平行な回動支軸４４を中心として回動自在である。また、被記録媒体をせん断するときに、上下丸刃３０、３１の接点３２ａと回動支軸４４とを結ぶ線は、被記録媒体の搬送方向に対して略直交している。
【００５２】
次に、前記回動構造の機能について説明する。
【００５３】
図７は、本実施形態に係るカッターユニット６１の回動概念を示す概念図である。
【００５４】
図７において、水平線９０は、連続紙６０の搬送方向に該当し、垂直線９１は、連続紙６０の搬送をガイドする搬送ガイド８０の搬送面に対する垂直線に該当する。また、水平線９０と垂直線９１とが交差する点を、原点９２とし、この原点９２は、回動支軸４４に相当し、円弧の半径を半径９３とすると、この半径９３は、上丸刃３０と下丸刃３１の接点３２ａの回動時における回動半径に相当する。更に、水平方向ズレ量９４は、係合面５１と係合面８４との係合位置ズレに相関する接点３２ａのズレ量を表し、そのときの高さ方向のズレ量を垂直方向ズレ量９５で表す。また、水平方向ズレ量９４の先端と原点９２とを結んだ線と垂直線９１とのなす角度を、ズレ角度９６とする。このとき、カッターユニット６１は、垂直線９１上に上丸刃３０と下丸刃３１との接点３２ａが位置するように設計されている。
【００５５】
なお、図７は、垂直線９１から右側へズレている状態を示しているが、左側へズレる場合でも、上記と同様である。ここで、図７に示す円弧上における垂直方向ズレ量９５の変位は、水平方向ズレ量９４の変位と比較し、微小である。これは、円弧軌跡の特質であり、ズレ角度９６が約４５°を上回ると、水平方向ズレ量９４に対し、垂直方向ズレ量９５が大きくなり、ズレ角度９６が約４５°を下回ると、水平方向ズレ量９４に対し、垂直方向ズレ量９５が小さくなる。本実施形態においては、回動角度が、９０°近傍になるように設定され、位置決め誤差が生じたとしてもズレ角度９６は１°程度であり、水平方向ズレ量９４に対し、垂直方向ズレ量９５の方が著しく小さくなる。すなわち、接点３２ａの高さ方向の誤差は著しく小さくなる。
【００５６】
なお、本実施形態では、この回動支軸４４の軸中心は、上丸刃３０と下丸刃３１との接点３２ａを通る垂直線６７上に位置するものとしたが、この回動支軸４４の軸中心は、上丸刃３０と下丸刃３１との接点３２ａを通る垂直線６７からわずかに外れていてもよい。言い換えれば、カッターユニット６１は、上丸刃３０と下丸刃３１との接点３２ａと、回動支軸４４の軸中心である原点９２とを結んだ線と垂直線９１のズレ角度９６は、０°ではなく、たとえば、０〜１０°程度あってもよい。
【００５７】
図６（Ｂ）に示すように、カッターユニット６１とガイド部材７０とは、回動支軸４４を中心に回転角６６ｂ分、反時計回転で略９０°回動する。これにより、カッターユニット６１は、インクジェット記録装置１００内部（切断装置内部）に倒れ込む。ちなみに、図２（Ｂ）に示すように、この回動する箇所における搬送ガイド８０は、回動できるように切り欠かれ、カッターユニット６１が回動時に、連続紙６０に干渉しない形状を有する。カッターユニット６１は、図６（Ｂ）に示す姿勢で、連続紙６０が搬送される搬送ガイド８０の上面よりも下方に位置し、ガイド部材７０を移動して、カッターユニット６１がホームポジションに戻る。つまり、カッターユニット６１は、連続紙６０を切断しないときに、連続紙６０を切断した後における連続紙６０の切断部端面から離れている。
【００５８】
このときに、カッターユニット６１が連続紙６０に干渉しない状態であるので、連続紙６０は、任意のタイミングでカット位置を通過できる。更には、本実施形態では、ガイド部材７０の底部形状の一部が、排紙口８５のカバー機能を担っている。具体的には、図６（Ａ）に示すように、カッターユニット６１を略垂直状態とした場合、ガイド部材７０は、カッターユニット６１の底部を覆う底部７０ａを有する。また、ガイド部材７０は、当該底部７０ａから延設されカッターユニット６１の本体側とは反対側の側面の一部を覆う側面部７０ｂと、当該側面部７０ｂから延設され連続紙の搬送方向と並行な突起部７０ｃとを有する。図６（Ｂ）に示すように、カッターユニット６１を９０度回動させて倒した状態として、カッターユニット６１が連続紙６０の搬送路から退避すると、ガイド部材７０の底部形状の一部（７０ｂ及び７０ｃ）がカッターユニット６１を覆う。したがって、ガイド部材７０の底部形状の一部（７０ｂ及び７０ｃ）が、排紙口８５におけるカバーの役目を果たす。
【００５９】
ここで、本実施形態では、カッターユニット６１に、回動時の位置決め係止形状５０を設けたが、これに限定されず、カッターユニット６１と一体的に回動するガイド部材７０に、位置決め係止形状を設けるようにしてもよい。
【００６０】
また、本実施形態では、カッターユニット６１と共に、ガイド部材７０自体が回動するが、これに限定されるものではない。たとえば、ガイド部材７０を、同方向に延在する丸棒部材に置き換え、カッターユニット６１のみが、上記置き換えた丸棒の外周部を回動するようにしてもよい。
【００６１】
また、カッターユニット６１の回転方向は特に限定されるものではない。本実施形態では、カッターユニット６１は、ホームポジション側から見て時計回転に位置決めしたが、反時計回転に位置決めするようにしてもよい。つまり、搬送ガイド８０上面からカッターユニット６１が退避する動作を、ホームポジション側から見て時計回りに行っても反時計回りに行ってもよい。
【００６２】
図６（Ｃ）に示すように、カッターユニット６１は、ホームポジションに戻った後に、ガイド部材７０と共に回動支軸４４を中心に回転角６６ｃ分、すなわち、時計方向に略９０°回動する。このときに、ホルダー４０に設けた係止形状５０の係合面５１と、外部に設けた係止形状８３の係合面８４との係合によって、略垂直状態を維持できるように、再度、位置決めされる。この姿勢において、カッターユニット６１は、次のカットに備えることができる。
【００６３】
上述したカッターユニット６１の移動動作及び回動動作を含む切断制御（カッターユニット６１の移動制御及び回動制御）は、ＣＰＵが、ＲＯＭまたはＨＤＤに格納されている制御プログラムをＲＡＭにロードし、それを実行することにより行われる。
【００６４】
以上の構成によって、カッターユニット６１は、連続紙６０をカットした後に、バックポジションにおいて、搬送ガイド８０の下方に退避する。この退避姿勢において、カッターユニット６１が連続紙６０の下方に退避しているので、連続紙６０の搬送状況に関わらず、ガイド部材７０を任意のタイミングで移動することができる。したがって、連続紙６０をカットした直後に、印刷を再開することができ、連続紙６０がカット位置を通過している状況であっても、カッターユニット６１は、ホームポジションに戻ることができる。つまり、カッターユニット６１がホームポジションに戻るまでの間に、印刷を停止する必要がなく、カッターユニット６１がカット端部に接触する虞もない。連続紙６０を傷つけることなく、スループットを向上させることができ、カッターユニット６１は、次のカットに備えることができる。
【００６５】
更には、カッターユニット６１が退避位置からカット位置に復帰したときに、上丸刃３０と下丸刃３１との接点３２ａを、所定の位置高さに制御することができる。これは、回転角度のズレ量に対して、接点３２ａの高さのズレ量が少ないためである。これにより、本実施形態では、被記録媒体をせん断時の上下丸刃の互いの接点の高さ位置のばらつきを抑制することができる。すなわち、搬送ガイド８０と接点３２ａとの高さ関係のばらつきを抑制することができ、高さ違いによる連続紙６０のヨレを防止することができる。したがって、切断不良を防止することができ、切断性を向上させることができる。
【００６６】
また、本実施形態では、カッターユニット６１が、インクジェット記録装置１００の内部に倒れ込むので、搬送ガイド８０やガイド部材７０などが、安全対策のカバーとして機能する。よって、カッターユニット６１がインクジェット記録装置１００の外部に倒れ込む場合と比較すると、上記実施形態は、専用のカバー追加が不要であり、投資コストを抑制することができる。
【００６７】
（実施形態２）
本実施形態では、カッターユニット６１とガイド部材７０との回動支軸４４が、連続紙６０の上に配置される。なお、実施形態１と同様の構成については、説明を省略する。
【００６８】
図８は、実施形態２において、カッターユニット６１をバックポジション側からホームポジション側を見た模式的側面断面図である。
【００６９】
図８（Ａ）は、カッターユニット６１が、連続紙６０の全幅カットを終了し、バックポジションで停止した状態を示す図である。
【００７０】
カッターユニット６１は、上部にガイドローラ６５を配置し、ガイド部材７０を滑らかに移動することができる。また、ガイドローラ６５は、不図示のバネによって上方に付勢され、カッターユニット６１は、相対的に下方に付勢されている。また、カッターユニット６１には、上丸刃３０と同軸上に摩擦ローラ６４が設けられ、この摩擦ローラ６４は、前記相対的付勢によって、ガイド部材７０の内壁底面に圧接している。これによって、カッターユニット６１の移動に伴い、ガイド部材７０に対して、摩擦ローラ６４が従動回転するので、連結する上丸刃３０も回転する。
【００７１】
また、カッターユニット６１とガイド部材７０との隙間を適正化するために、ホルダー４０には、ホルダーガイド形状４８、４９が設けられ、僅かな隙間を保証しつつ、カッターユニット６１のガイド部材７０に対する余剰ガタを規制している。
【００７２】
カッターユニット６１は、連続紙６０をカット中に、ホルダー４０に設けられている係止形状５０の係合面５１と、外部に設けた係止形状８３の係合面８４との係合によって、カッターユニット６１が略垂直状態を保つように位置決めされている。また、カッターユニット６１とガイド部材７０とは、回動支軸４４を中心に回動自在であり、この回動支軸４４は、被記録媒体の搬送方向に対して略直交している。回動支軸４４の軸中心は、上丸刃３０と下丸刃３１との接点３２ａを通る略垂直線６７上に位置する。
【００７３】
ここで、前記回動構造の機能は、カッターユニット６１とガイド部材７０との回動支軸４４の構成が、実施形態１と比較すると、上下逆になっており、他の点は実施形態１と同様である。
【００７４】
図８（Ｂ）に示すように、カッターユニット６１とガイド部材７０とは、回動支軸４４を中心に回転角６６ｂ分、時計方向に略９０°回動する。この姿勢において、カッターユニット６１は、搬送される連続紙６０よりも上方に位置し、ガイド部材７０を移動して、ホームポジションに戻る。
【００７５】
図８（Ｃ）において、カッターユニット６１は、ホームポジションに戻った後に、ガイド部材７０と共に、回動支軸４４を中心に、回転角６６ｃ分、反時計方向に略９０°回動する。このときに、ホルダー４０に設けた係止形状５０の係合面５１と、外部に設けた係止形状８３の係合面８４との係合によって、略垂直状態を維持できるように、カッターユニット６１が再度位置決めされる。この姿勢において、カッターユニット６１は、次のカットに備えることができる。
【００７６】
上述したように、本実施形態では、少なくともカッターユニット６１の刃により連続紙６０を切断する際（本実施形態では、カッターが往方向に移動中）は、カッターユニット６１を略垂直状態とする。そして、カッターユニット６１の刃により連続紙６０を切断しないがカッターユニット６１を移動させる際（本実施形態では、復方向に移動中）は、回動支軸４４を中心にホルダー４０を９０度回動させる。これにより、カッターユニット６１を略水平状態として、連続紙６０よりも上方へ退避させる。
【００７７】
この退避姿勢において、カッターユニット６１が連続紙６０の上方に退避しているので、連続紙６０の搬送状況に関わらず、ガイド部材７０を任意のタイミングで移動することができる。したがって、連続紙６０をカットした直後に、印刷を再開することができ、連続紙６０がカット位置を通過している状況であっても、カッターユニット６１は、ホームポジションに戻ることができる。つまり、カッターユニット６１がホームポジションに戻るまでの間に、印刷を停止する必要がなく、カッターユニット６１がカット端部に接触する恐れもない。連続紙６０を傷つけることなく、スループットを向上させることができ、カッターユニット６１は、次のカットに備えることができる。
【００７８】
更には、カッターユニット６１が退避位置からカット位置に復帰したときに、上丸刃３０と下丸刃３１との接点３２ａを、所定の位置高さに制御することができる。これは、回転角度のズレ量に対して、接点３２ａの高さのズレ量が少ないためである。これにより、本実施形態では、被記録媒体をせん断時の上下丸刃の互いの接点の高さ位置のばらつきを抑制することができる。すなわち、搬送ガイド８０と接点３２ａとの高さ関係のばらつきを抑制することができ、高さ違いによる連続紙６０のヨレを防止することができる。したがって、切断不良を防止することができ、切断性を向上させることができる。
【００７９】
（他の実施形態）
本発明は、上述した実施形態に限定されるものではない。たとえば、上述した実施形態では、カット部として丸刃を上下に備えるものとしたが、これに限定されるものではない。カッターユニットのカット部として、たとえば、一方のみにカッターを設けるものであってもよいし、カット部は丸刃ではなく四角形状など他の平形状であってもよい。この場合は、カッターユニットのカット部が被記録媒体を切断する場合、カット部の被記録媒体との接点と支軸の中心とを結ぶ線が搬送方向に対して略直交するように支軸を決定すればよい。
【００８０】
また、上述した実施形態では、カッターユニット６１が往路方向に移動する場合に、カッターユニット６１を略垂直状態とし、カッターユニット６１が復路方向に移動する場合に、カッターユニット６１を９０度回動させた状態とした。しかし、これに限定されるものではない。たとえば、移動方向に関わらず、カッターユニット６１で切断が不要となった時点でカッターユニット６１を９０度回動させた状態としてもよい。
【００８１】
なお、本実施形態の機能は以下の構成によっても実現することができる。つまり、本実施形態のインクジェット記録装置１００における処理を行うためのプログラムコードをシステムあるいは装置に供給し、そのシステムあるいは装置のコンピュータ（またはＣＰＵやＭＰＵ）がプログラムコードを実行することによっても達成される。この場合、記憶媒体から読み出されたプログラムコード自体が上述した実施形態の機能を実現することとなり、またそのプログラムコードを記憶した記憶媒体も本実施形態の機能を実現することになる。
【００８２】
また、本実施形態の機能を実現するためのプログラムコードを、１つのコンピュータ（ＣＰＵ、ＭＰＵ）で実行する場合であってもよいし、複数のコンピュータが協働することによって実行する場合であってもよい。さらに、プログラムコードをコンピュータが実行する場合であってもよいし、プログラムコードの機能を実現するための回路等のハードウェアを設けてもよい。またはプログラムコードの一部をハードウェアで実現し、残りの部分をコンピュータが実行する場合であってもよい。
【符号の説明】
【００８３】
３２ａ…接点、
４４…回動支軸、
５０、８３…係止形状、
６１…カッターユニット、
７０…ガイド部材。
【図１】
2015226937.tif 000003
【図２】
2015226937.tif 000004
【図３】
2015226937.tif 000005
【図４】
2015226937.tif 000006
【図５】
2015226937.tif 000007
【図６】
2015226937.tif 000008
【図７】
2015226937.tif 000009
【図８】
2015226937.tif 000010
【図９】
2015226937.tif 000011